(57)【要約】【課題】衣服の上からのシルエットを向上させる部分的なコアパッド付きブラジャーと改良チェストバンド構造及び/又はチェストバンドとその他要素とを関連させて改良チェストバンド構造のブラジャーを形成し、一般利用者の豊富な選択自由度を供すること。【解決手段】外部布帛（ファブリック）層、内部布帛層を含む二つのバストカップを有するブラが、その各バストカップの襟ぐり周縁は内部布帛層及び外部布帛層の少なくとも一つで定まり、同各バストカップのコアパッドは、薄い周縁部を画定すべく外部布帛層、内部布帛層間に設けられてテーパー状周縁部を有し、それが上記襟ぐり周縁の内側に有って薄い周縁部を定めたブラを供し、更にバストカップから伸びる各チェストバンド部は最内側、最外側パネルを有し、両者間に弾性バンドを有したブラを構成した。【選択図】図３
0003135406.tif 000002
【実用新案登録請求の範囲】
【請求項１】
二つのバストカップを有し、各々のバストカップからチェストバンド部が伸び、各々のチェストバンド部は少なくとも最内側パネルおよび最外側パネルを有し、また上部周縁および下部周縁を有するもので、かつ少なくとも一つの弾性バンドが前記最内側のパネルおよび最も外側のパネルの間に捕捉されて接着され、該弾性バンドは少なくともチェストバンド部の上部周縁および下部周縁の少なくとも一部分に沿って配設される構成を具備して成ることを特徴とするブラジャー。
【請求項２】
前記最内側のパネルおよび最外側のパネルはファブリック素材から成ることを特徴とする請求項１に記載のブラジャー。
【請求項３】
最外側のパネルおよび最内側のパネルの少なくとも一つ、および少なくとも一つの弾性バンドの中間には、少なくとも一つの付加パネルがある構成とすることを特徴とする請求項１に記載のブラジャー。
【請求項４】
前記付加パネルがフォーム製パネルであること特徴とする請求項３に記載のブラジャー。
【請求項５】
前記フォーム製パネルは、最外側のパネルおよび最内側のパネルの少なくとも一つと同じ広がり度を有する構成とすることを特徴とする請求項４に記載のブラジャー。
【請求項６】
最内側のパネルおよび最外側のパネルは互いに同じ広がり度を有する構成とすることを特徴とする請求項１に記載のブラジャー。
【請求項７】
内側のパネルおよび最も外側のパネルは各々のチェストバンド部に関し、前記弾性バンドは、最内側のパネルおよび最外側のパネルのうち少なくとも一つに連続していることを特徴とする請求項１に記載のブラジャー。
【請求項８】
各々のチェストバンド部に関し、前記弾性バンドは、それが隣接する前記バストカップと前記チェストバンド部の自由端部との間に延設されることを特徴とする請求項１に記載のブラジャー。
【請求項９】
各々のチェストバンド部に関し、前記弾性バンドは、それが隣接する前記バストカップから前記チェストバンド部の自由端部まで延設されていることを特徴とする請求項１に記載のブラジャー。
【請求項１０】
前記少なくとも一つの弾性バンドの夫々の側部に配設した接着テープによって、該弾性バンドが前記最内側および最外側のパネルと接合される構成とすることを特徴とする請求項１に記載のブラジャー。
【請求項１１】
前記少なくとも一つの弾性バンドの夫々の側部に配設した接着テープによって、該少なくとも一つの弾性バンドが、前記最内側および最外側のパネルに接合される構成とすることを特徴とする請求項１に記載のブラジャー。
【請求項１２】
各々のチェストバンド部に対しては二つの弾性バンド有し、一方の第一の弾性バンドはチェストバンドの上部周縁付近の少なくとも一部に少なくとも沿うように延設、配置され、他方の第二の弾性バンドはチェストバンドの下部周縁付近の少なくとも一部に少なくとも沿うように延設、配置されることを特徴とする請求項１に記載のブラジャー。
【請求項１３】
前記最外側のパネルおよび最内側のパネルは相互に積層されることを特徴とする請求項１に記載のブラジャー。
【請求項１４】
前記最外側のパネルおよび最内側のパネルが互い同士で積層されていることを特徴とする請求項１に記載のブラジャー。
【考案の詳細な説明】
【技術分野】
【０００１】
本考案はブラジャーの改良に関するものである。
【背景技術】
【０００２】
従来のブラジャー（以下「ブラ」と称す。）における好ましくない他の特徴点は、胸帯部分の構造、つまりチェストバンド構造に関連する。従来は、チェストバンドの弾性を向上するために、ブラのウイングまたはウイング部分としても知られているチェストバンドに弾性バンドを付加しており、これはブラのサイズの特性を向上させ、チェストバンドのサイズにおいて、適応範囲にある程度の融通性を付与可能にするもので、例えば、着用者がチェストバンドのサイズを調整する必要がなく、着用者の胸囲またはバストのサイズが増加または減少した場合、ある程度のサイズ変化は弾性バンドによって補正するものである。
【０００３】
弾性バンドは、ブラを着用する際に、着用者の肌に面するまたは触れる布帛層（以下、ファブリック層と記載）の外側表面上にかつその全長に沿って縫合される。チェストバンド上に縫合される前に、弾性バンドは、ファブリック層によって包まれるか、または被覆されることで組み合わせ物（以下、アセンブリと言う）に形成される。
【０００４】
上記のようなチェストバンド構造の主な不都合点は、弾性バンドまたはアセンブリが着用者に不快感を与え、見た目にも好ましいものではなく、着用者の肌上に局部的な摩擦を増加させ、更にチェストバンドが着用者に食い込んで体を締め付ける。かくして、弾性バンドを包含していないチェストバンドの他の部分は、膨らんでしまう可能性がある。
【０００５】
一部のブラに関しては、所定の弾性バンドをチェストバンドに付加していない。この場合、チェストバンドの弾性はチェストバンドのファブリック層の有する自然の弾性のみによってか、またはチェストバンドに付加されるフォーム層の有する弾性との組合せによって供されるが、上記の構造の主な不都合点は、ブラを繰り返し洗濯した後、またはチェストバンドを長時間伸ばした後は、チェストバンドの弾性が劣化することである。これは、チェストバンドのファブリック層やフォーム素材層を形成するのに使用される生地の特性に因る可能性がある。
【０００６】
パッドは、ブラ着用者のバストの支持形成に効果的であり、ブラに備えられるパッドはバストの支持を助成し、バストアップ状態を創成することが可能である。パッドは、通常、発泡素材（以下、フォーム素材と言う）から成り、ブラの最内側の層と最も最外側の層との間に備えられ、ブラのバストカップ部全体を、覆うように通常は配置されている。しかし、ブラにパッドを備えることは、幾つかの理由により好ましくないことがあり、その理由としてパッドは、ブラのバストカップ部の厚みを増加させ、パッド周縁の輪郭が形成される部分で、ブラの厚みが急激に変化する可能性がある。このようなブラの厚みの急激な変化は、美しいバストシルエットのために好ましくないので、衣服（例えばドレスまたは上半身に着る服）の下に着用されるブラは、着用者によっては目立たないようにしたいと要望することがあろう。ブラの厚みの突然の変化やブラ周縁に厚みが形成された部分において、ブラは着ている服の上からすぐに目立つ可能性があり、このような特異性が目立つようなブラやブラの一部分は、ドレスや上半身に着る服を通してはっきりとするから、これは美しいバストシルエットのためには視覚的に好ましくない。
【考案の開示】
【考案が解決しようとする課題】
【０００７】
以上の問題点を鑑み、本考案では衣服の上から見たシルエットを向上させる部分的なコアパッド付きブラを提供し、更に、改良されたチェストバンド構造および/または、改良されたチェストバンド構造を有するブラを形成するように諸構成要素と協働するチェストバンドを有したブラを提供し、少なくとも一般の人に実用的なブラを提供するのが目的である。
【課題を解決するための手段】
【０００８】
本考案の第１の観点から見れば、本考案は以下の特徴を有するブラを構成する。すなわち、当該ブラは二つのバストカップを有し、各々のバストカップからチェストバンド部が伸び、各々のチェストバンド部は少なくとも最内側のパネルおよび最外側のパネルを有し、更に上部周縁および下部周縁を有するもので、かつ少なくとも一つの弾性バンドが前記最内側および最外側のパネルの間に捕捉されて接着され、該弾性バンドは少なくともチェストバンドの上部周縁および下部周縁部分の少なくとも一部分に少なくとも沿うように延設、配設される構成を具備して成る。
【０００９】
好ましくは、前記最内側のパネルおよび最外側のパネルは、ファブリック素材から成る。
【００１０】
好ましくは、前記最内側のパネルおよび最外側のパネルのうちの少なくとも一つと少なくとも一つの弾性バンドとの中間には、少なくとも一つの付加パネルがある構成とする。
【００１１】
好ましくは、前記付加パネルは、フォーム製パネルである。
【００１２】
好ましくは、前記フォーム製パネルは最内側のパネルおよび最外側のパネルのうち少なくとも一つと同じ広がり度を有する構成とする。
【００１３】
好ましくは、前記最内側のパネルおよび最外側のパネルは、互いに同じ広がり度を有する。
【００１４】
好ましくは、各々のチェストバンド部に関し、前記弾性バンドは、最内側のパネルおよび最外側のパネルのうち少なくとも一つに連続している。
【００１５】
好ましくは、各々のチェストバンド部に関し、弾性バンドは隣接したバストカップと前記チェストバンド部の自由端部（図１４参照のこと）との間に延設される。
【００１６】
好ましくは各々のチェストバンド部に関して、前記弾性バンドは隣接した前記バストカップから前記チェストバンド部の自由端部まで延設されている。
【００１７】
好ましくは、前記少なくとも一つの弾性バンドの夫々の側部に配設した接着テープによって、該弾性バンドが前記最内側および最外側のパネルと接合される構成とする。
【００１８】
好ましくは、前記少なくとも一つの弾性バンドの夫々の側部に配設した接着テープによって、該少なくとも一つの弾性バンドが、前記最内側および最外側のパネルに接合される構成とする。
【００１９】
好ましくは、各々のチェストバンド部に対しては二つの弾性バンドを有し、一方の第一の弾性バンドはチェストバンドの上部周縁付近の少なくとも一部に少なくとも沿うように延設、配置され、他方の第二の弾性バンドはチェストバンドの下部周縁付近の少なくとも一部に少なくとも沿うように延設、配置される。
【００２０】
好ましくは、前記最外側のパネルおよび最内側のパネルは相互に積層される。
【００２１】
好ましくは、前記最外側のパネルおよび最内側のパネルは互い同士で積層されている。
【００２２】
更に他の観点によれば、２つのバストカップを有し、当該バストカップは各々その外部および内部にファブリック層を有するブラにおいて、各々のバストカップの襟ぐり線周縁、つまりネックライン周縁は外部ファブリック層および内部ファブリック層のうちの少なくとも1つによって画定され、各々のバストカップにおいて、内部ファブリック層と外部ファブリック層との間にコアパッドを捕捉し、該コアパッドがテーパー状の周縁領域部を包含して薄い周縁領域部を定め、その薄い周縁領域部が前記ネックライン周縁の内側に配設される構成を備えている。
【００２３】
好ましくは、上記の薄い周縁領域部は、バストカップの上記ネックライン周縁に最接近して配置されているが、ネックライン周縁には接触ないし連続していないように構成される。
【００２４】
好ましくは、上記コアパッドの前記薄い周縁領域部は、ネックラインに最接近している該コアパッドの周縁領域部であるように構成される。
【００２５】
好ましくは、上記内部ファブリック層は前記コアパッドに積層されている構成とする。
【００２６】
好ましくは、前記外部ファブリック層は前記コアパッドに積層されている構成とする。
【００２７】
好ましくは、上記内部ファブリック層および外部ファブリック層は相互に積層され、かつ同内部ファブリック層と外部ファブリック層との中間に前記コアパッドが配置されない少なくとも一部領域において互い同士が積層された構成とする。
【００２８】
好ましくは、該内部ファブリック層および該外部ファブリック層は、夫々のバストカップのネックライン周縁と該コアパッドの薄い周縁領域部との中間部分の領域において、互い同士が積層している構成とする。
【００２９】
好ましくは、外部ファブリック層はレースから成る少なくとも一つのパネルを有する。
【００３０】
好ましくは、少なくともレースから成るパネルとコアパッドとの中間には裏地パネルが設けられている。
【００３１】
好ましくは、該裏地パネルは前記コアパッドの外向きの表面全体を覆うように構成される。
【００３２】
好ましくは、各々のバストカップの前記外部ファブリック層は、レースから成るパネルおよび不透明布帛とから成るパネルを有する構成とする。
【００３３】
好ましくは、前記外部ファブリック層がレースを有する部分において、内部ファブリック層は薄手の透き通った布帛パネルを有する構成とする。
【００３４】
好ましくは、前記外部ファブリック層が前記コアパッドを覆わない部分のみにおいて、該外部ファブリック層はレースを有する構成とする。
【００３５】
好ましくは、前記コアパッドは、少なくとも1つの発泡層、つまりフォーム層（プライ層であるが、以下、単に層と記載）から成る構成とする。
【００３６】
好ましくは、該フォーム層は、少なくとも薄い周縁領域部において厚みが低減した前記コアパッドを画定するように、フォーム素材から薄くした層である構成とする。
【００３７】
好ましくは、バストカップに備えられる前記コアパッドの大きさは該バストカップよりも小さい構成とする。
【００３８】
好ましくは、前記コアパッドは相互に積層されたフォーム素材から形成される二つの層から成り、各々のバストカップに対してアンダーワイヤを捕捉、具有する構成とする。
【００３９】
好ましくは、フォーム素材から成る二層両者は、テーパー形状化されて、薄い周縁領域部を画定する構成を有する。
【００４０】
好ましくは、フォーム層の一方はコアパッドの薄い周縁領域部を定め、もう一方のフォーム層は前記薄い周縁領域部の内側に配置される周縁領域部を有する構成とする。
【００４１】
好ましくは、前記薄い周縁領域部の内側に配置される前記周縁領域部もまた、テーパー状化された周縁領域部である構成とする。
【００４２】
好ましくは、コアパッドは、バストカップ周縁に連続した前記薄い周縁領域部の少なくとも一部以外に、周縁領域部を有する構成とする。
【００４３】
好ましくは、二つのコアパッドを有し、その各々が各バストカップ用に設けられている構成とする。
【００４４】
好ましくは、一つのコアパッドが設けられ、該コアパッドがバストカップ間のブリッジを過ぎって延設され、各々のバストカップの一部に広がっている構成とする。
【００４５】
好ましくは、ブラはモールドブラである。
【００４６】
好ましくは、ブラはシームレスブラである。
【００４７】
本考案の第二の観点においては、内部ファブリック層および外部ファブリック層を各々有する二つのバストカップを備えるブラのコアパネルにおいて、各々のバストカップのネックライン周縁は外部ファブリック層および内部ファブリック層のうち少なくとも一つによって画定され、前記コアパッドは、薄い周縁領域部を定めるためのテーパー状にした周縁領域部を含み、前記薄い周縁領域部はネックライン周縁部の内側に配置される構成を具備している。
【００４８】
更に本考案の他の観点においては、ブラ用のコアパネルであって、フォーム素材から成る第一層および第二層から構成されるブラのコアパネルを備え、前記第一層は該コアパネルが備えられたブラの少なくとも一つのバストカップのネックラインにかなり接近して配置される上周縁領域部を有し、前記第二層は前記第一層に積層して設けられ、かつ、前記フォーム素材から成る第一層の前記上周縁領域部が該第一層の主部よりも薄くなるようにフォーム素材から成る第一層の前記上周縁領域部がテーパー状に形成されている構成を具備する。
【００４９】
好ましくは、前記第二層は、第一層の上周縁部に連続した上周縁領域部を有する。
【００５０】
好ましくは、前記第二層は前記第一層の周縁領域部の内側に少なくとも部分的に配設された上部周縁領域部を含んでいる。
【００５１】
好ましくは、前記第二層の上周縁領域部を前記第一層の主部より薄くするために、第二層の上周縁領域部はテーパー状に形成されている。
【００５２】
好ましくは、前記第一層、第二層は、少なくとも一つのアンダーワイヤ構造を捕捉、具有している。
【００５３】
好ましくは、前記第一層および第二層は、使用時にブラに備えられ、各バストカップに向けて延設されるコアパッドの形状を定める。
【００５４】
好ましくは、コアパッドは、カップ形状を有するように成形される。
【００５５】
好ましくは、コアパッドは、二つのカップ形状を有するように成形される。
【００５６】
更なる本考案の観点においては、モールドブラが提供され、該モールドブラは、モールドフォーム素材から成る少なくとも内部層から、しかも好ましくはモールドフォーム素材から成る外部層と積層される内部層から構成されるコアパッドを有し、前記コアパッドは、二つのバストカップ部とその間に延設されるブリッジ部を画定し、非伸縮性を有する可撓性生地から成る少なくとも一つの層が前記ブリッジ部分のモールドフォーム素材から成る前記内部層および外部層における一つの層に隣接して、または両者の中間に設けられて該層と積層され、前記非伸縮性を有する可撓性素材は、ブリッジ部領域を過ぎってカップからカップへの方向と平行な方向には前記コアパッドが伸縮しないように配向され、かつ更にモールドブラは、前記コアパッドの両面に備えられ、前記コアパッドのそれぞれ内側および外側に積層され、好ましくは前記コアパッドを内包し、少なくとも一つは部分的にネックライン周縁を画定している各々が少なくともファブリック（布帛）素材から成る内層および外層を有し、前記コアパッドは、ネックライン周縁の内側に配置される薄い周縁領域部を画定しているテーパー形状の周縁領域部を含んだ構成を具備している。
【００５７】
好ましくは、非伸縮性を有する可撓性素材は双方向に非伸縮性のある織物素材であり、前記コアパッドのカップからカップへの方向と平行な前記ブリッジ部を過ぎって非伸縮性方向が広がるように配向される。
【００５８】
好ましくは、前記非伸縮性を有する可撓性素材から成る前記層は、モールドフォーム素材から成る前記内層と外層との中間に捕捉、具備されるように構成する。
【００５９】
好ましくは、フォーム素材から成る前記内層および外層は互いに同じ広がり度を有し、両者が前記コアパッドの周縁を画定している。
【００６０】
好ましくは、フォーム素材から成る前記内層および外層は、該外層がネックライン周縁を画定するように延設され、かつ該内層は少なくともネックライン周縁の一部分においてネックライン周縁よりも内側に着設されるように、ずらして配置される。
【００６１】
好ましくは、前記コアパッドの周縁は前記ネックライン周縁の手前で終端した構成にある。
【００６２】
好ましくは、前記コアパッドは肩ストラップおよびチェストバンド(複数も含む)以外のバストカップおよび前記ブリッジだけを画定する形状を成すように構成される。
【００６３】
好ましくは、前記チェストバンドは、前記モールドブラに備えられる前記コアパッドの各々の両端から、外側に向かって延設される。
【００６４】
好ましくは、二つのアンダーワイヤ構造は、フォーム素材から成る前記内層と外層との中間に備えられ、各々バストカップ領域に隣接した構成を有する。
【００６５】
好ましくは、フォーム素材から成る前記内層および外層は、前記非伸縮性を有する可撓性素材および前記二つのアンダーワイヤ構造を除いて、直接、互いに積層される構成を有する。
【００６６】
好ましくは、前記アンダーワイヤ構造は剛性を有する細長い部材とその少なくとも一部の周りにある可撓性素材から成るケーシングとから構成される。
【００６７】
好ましくは、前記ケーシングはファブリック素材から成る。
【００６８】
好ましくは、前記ケーシングは、フォーム素材から成る前記内層および外層の片面または両面に接着剤によって接合される。
【００６９】
好ましくは、前記ケーシングは端部が閉じられた管状のソックス形状体であり、内部に前記剛性を有する細長い部材が配設されている。
【００７０】
好ましくは、前記外部ファブリック層はレースでもよい。
【００７１】
好ましくは、前記内部ファブリック層は薄手の透き通ったファブリック素材でもよい。
【００７２】
好ましくは、少なくともコアパッドのレース層に接する側面はその中間に裏地を有する。
【００７３】
好ましくは、前記コアパッドの内側および前記コアパッドの外側と、前記内部ファブリック層、前記外部ファブリック層の間とには、中間裏地が備えられる。
【００７４】
好ましくは、外部ファブリック層は少なくとも二つの素材層から構成される。
【００７５】
好ましくは、前記二つの素材層は突合せ接合、または重ね合わせ接合で接合される構成としてもよい。
【００７６】
更に他の考案の観点において、本考案は以下に示すブラを構成する。当該ブラは二つのバストカップを有し、各々のバストカップは外部ファブリック層および内部ファブリック層を含む構成を備え、かつ上記構成において、各々のバストカップのネックライン周縁は外部ファブリック層および内部ファブリック層の少なくとも一つによって画定され、各々のバストカップにおいては、内部ファブリック層と外部ファブリック層との間にコアパッドを備えると共に該コアパッドは、薄い周縁領域部を画定するようにテーパー状にした周縁領域部を含み、前記薄い周縁領域部はネックライン周縁の内側に配設され、前記二つの各々のバストカップから延設したチェストバンド部が設けられており、各々のチェストバンド部は少なくとも最内側のパネルおよび最外側のパネルを有すると共に上部周縁および下部周縁を有し、少なくとも一つの弾性バンドが前記最内側のパネルおよび最外側のパネルとの間に捕捉され、かつ該最内側および最外側パネルと接合されて備えられ、チェストバンド部の前記上部周縁および下部周縁に隣接し、かつ該上部周縁および下部周縁の少なくとも一部に少なくとも沿うように延設されて配設されている。
【００７７】
更に他の考案の観点においては、本考案は、以下に示すブラを構成する。すなわち、当該ブラは最外側ファブリック層および最内側ファブリック層を含み、各々の層は二つのバストカップおよび、各々のバストカップから延設されている二つのチェストバンド部を構成し、かつ上記構成において、各々のバストカップのネックライン周縁は最外側の層および最内側の層の少なくとも一つによって画定され、各々のバストカップの薄い周縁領域部を画定するようにテーパー状周縁領域部を含む最内側の層と最外側の層との間にコアパッドが備えられ、前記薄い周縁領域部はネックライン周縁の内側に配置されて成り更に、各々のチェストバンド部における前記最外側の層および最内側の層は上部周縁および下部周縁を画定し、かつ少なくとも一つの弾性バンドは前記各々のチェストバンド部における前記最外側の層と最内側の層との間に捕捉かつ該両層と接合されて設けられ、チェストバンド部の上部周縁および下部周縁に接近し、かつ少なくともそれら両周縁の一部に少なくとも沿うように延設される。
【００７８】
更に他の考案の観点においては、本考案は以下に示すモールドブラを構成する。すなわち、モールドフォーム素材から成る少なくとも内部層から成り、好ましくは、当該内部層はモールドフォーム素材から成る外部層と積層され、二つのバストカップ部とその間に延設される中間物であるブリッジ部を画定するコアパッドを備え、二つのバストカップ部とその間に延設される中間物であるブリッジ部を画定する前記コアパッドにおいて、非伸縮性を有する可撓性素材から成る少なくとも一つの層が、前記ブリッジ部におけるモールドフォーム素材から成る内部層および外部層のうちの一つに隣接して、またはその中間に備えられて該両層と積層され、かつ前記非伸縮性を有する可撓性素材は、カップからカップへの方向と平行な前記ブリッジ部を過ぎって前記コアパッドが伸縮しないように配向され、更に少なくともファブリック素材から夫々が成る内部および外部層を有し、該内部および外部層は前記コアパッドの内側および外側において該コアパッドの両側にそれぞれ配置されると共に該コアパッドと積層され、好ましくは前記コアパッドを内包し、かつ前記内部層および外部層のうち少なくとも一方は、少なくとも部分的にネックライン周縁を画定し、前記コアパッドはネックライン周縁の内側に配置される薄い周縁領域部を画定するテーパー状の周縁領域部を含み、各々のバストカップ部分から延設されるチェストバンド部は、前記内部層および外部層によって少なくとも部分的に画定され、該チェストバンド部は上部周縁と下部周縁を含み、また少なくとも一つの弾性バンドが前記内部層と外部層との間に捕捉されると共に該内部層、外部層と接合され、さらに該弾性バンドは、前記上部周縁および下部周縁に隣接し、その少なくとも一部に少なくとも沿うように延設、配設される構成を備えてなる。
【００７９】
更に本考案は、本願明細書中に個別的または集合的に記載または表示される部品、要素、及び特徴とから構成されるものと広く言及することもでき、かつ上記部品、要素又は特徴における２以上もののいずれか又は全組合せから構成されるものと広く言及することもでき、またここで記載する夫々の数値番号は、本考案に関連する技術において周知の等価物が有るものとして記述しており、これらの等価物もあたかも個々に説明したものとして本明細書に組み込まれているものと見なすべきである。
【００８０】
ブラの構成要素または部材、またはブラの部分に関連した「内部」、「外部」、又は同様の用語に関しては、ブラ着用者の身体に関連して理解すべきことを意味するものである。例えば、「内側」または「内部」または「内部部分又は領域」は、着用者の身体からはより離れたブラの構成要素より、着用者の身体により近いブラの表面側に近い構成要素を意味する相対的な用語である。特定しない限り、「内部」は「最内部」を意味するものではない。同様に「外部」または「外側」のような用語についても上述の点が適用されることは言うまでもない。
【００８１】
「層」という言葉に言及すると、この言葉は一般的な定義を有したものであるが、それだけに限定されるものではなく、一つのパネルから成る層、または接合された二以上のパネルによって定められる領域を有した層や各々異なる特徴（例えば、色、厚さ、素材、配向、大きさ）を有するパネル類によって画定される領域を有するものであっても良いことを理解すべきである。
【００８２】
更に「層」という言葉に言及すると、この言葉は一般的な定義を有したものであるが、それだけに限定されるものではなく、該層は同様のまたは異なる特徴（例えば、色、厚さ、素材、配向、大きさ）から成る一つまたは複数の同じ又は異なる層で構成され、積層または少なくとも部分的に重なり合って構成されるような層でも良いことを理解すべきである。
【００８３】
シームレスの意味は、ブラに明らかに視覚的に継ぎ目がほとんどないことを意味し、つまり、ブラの端部が、シームレス方法、例えば超音波溶接方法、または外部層の端部を折返し、縫い目のない方法で内部層に固着させることによる方法、またはその他、実質的に縫い目がない方法で仕上げられることを意味する。しかし、ブラの構造の内部に縫い目が見られても外側から見えなければ良く、又、例えば肩ストラップがブラのカップ部に取り付けられている箇所、またはホックやアイテープ（hook or eye tape）によってチェストバンド部が接続される部分等の外側から顕著に視覚認識されないような箇所の縫い目なら見えても構わない。
【００８４】
本願明細書で使用しているような「および／または」は、「および」或いは「または」、若しくは両方を意味する。
【００８５】
本願明細書でカッコ内に(複数も含む)と記して使用しているような名詞の場合は、その名詞の複数および/または単数形の両者を意味する。
【００８６】
本明細書において使用されているような「〜を含む」は、「少なくとも〜の一部から成る」ことを意味する。専門用語、特徴を含む本明細書における記載の解釈が、各々の記載においてその専門用語によって前もって説明される場合、全ての特徴を示す必要があるが、その他の特徴もまた有することが可能である。関連語、例えば「構成する」、「構成される」は同様に解釈されるべきである。
【考案を実施するための最良の形態】
【００８７】
図１を参照すると、ブラ100はバストカップ部102、チェストバンド103、104と肩ストラップ105、106によって一般的に構成され、肩ストラップ106および105は、バストカップ部102と各々のチェストバンド103、104との間でそれぞれ延長可能である。
【００８８】
前記肩ストラップは、任意的なもので、ブラがストラップレスの場合も有り得る。実際には、本願明細書においてブラと言う場合は、上記のように構成するパネル構成要素と部材の組み合わせ体（以下、アセンブリとも記載する）が、例えば、イヴニングドレスや水着等の別の衣類に選択的に組み込まれることも想定している。
【００８９】
各々のチェストバンドの両端部のホック107,108は、着用者の胸の周囲にブラを固定させるように協働するものである。
【００９０】
ブラはシームレスでも良く、少なくとも成形法で形成されるか又は成形可能ないくつかの素材から成るものでも良く、好ましくは、それら素材の少なくとも一部を積層によって互いに接合される。
【００９１】
図２bを参照すると、バストカップ部102を画定する要素は、チェストバンド103および肩ストラップ106を画定する要素に接合される。その接合方法は、接着剤および/または超音波溶接、またはその他の溶接および/または縫合によるものであるが、縫合はアセンブリ化の好ましい形態でない。本考案のブラの最も好ましい形態は、全く、またはほとんど縫い目のないシームレスブラである。図2aおよび2bを参照すると、本考案のブラはバストカップやチェストバンドのような別々の要素から成り、それらはブラの製造過程で接合される。しかしながら、最も好ましい形態において、ブラの少なくとも幾つかの素材層は、両方のバストカップおよび両方のチェストバンドの全体に連続している。
【００９２】
好ましくは、バストカップ部102は二つのバストカップ109および110を構成し、各々のバストカップは互いに隣接し、その間には中間物のブリッジ部111が延設されている。少なくともバストカップ109および110を構成する要素の少なくとも一部は、ブリッジ部111を過ぎる部分をも含むバストカップ部102全体に連続している。これとは別に、いくつかのまたは全ての構成要素はバストカップ109および110の少なくとも一部にしかないこともある。
【００９３】
好ましい形態では、バストカップ部102の構成要素のうちの少なくとも1つは、バストカップ部102全体に連続し、更に好ましくは、ブリッジ部全体に連続する。しかしながら、他の形態では、各々のバストカップ109および110は、図2aに示す実施例のように、別々にあらかじめ構成されていてもよく、ブリッジ部111において接合され、バストカップ102を構成する。
【００９４】
ブラは、各々のバストカップ109および110においてネックライン周縁121および122を有し、ネックライン周縁は、連続していてもよく、または各々のバストカップに別々に構成されてもよい。ネックライン周縁は、一般には各々のバストカップの上部、好ましくは肩ストラップがバストカップに連結された部分から、ブリッジ部分111に向かって延設されている。図1に示されるようにネックライン周縁は、好ましくはネックライン周縁全体に亘って連続し、一方の肩ストラップから他方の肩ストラップまで延設している。ネックライン周縁は一般に、着用者のバストがある部分より上に位置する。ネックラインは多くの場合、襟の開いた上着またはシャツ等で目立つブラの一部である。更に、同ネックラインは、その部分に衣類がぴったりと付くようなブラの一部分でもある。
【００９５】
付加的な構成要素、または層は、本願明細書において画定されるように、バストカップ部および／またはブラを構成する素材を備える。
【００９６】
図1に示すブラの形態は、チェストバンド104および103が一体であり、バストカップ部102の下部周縁に沿って延設することができる。ブラはフロントオープンブラでもよく、ブリッジ部111で開閉されるように当該ブリッジ部に互いに固定し合うホックが設けられる。
【００９７】
図3は、各々のバストカップ109および110に、それぞれコアパッド1、2が備えられているブラの一部を示す。各々のバストカップの上部において、ネックライン周縁121において、またはネックライン周縁121に向かってバストカップの厚みの緩やかな減少が画定される。図3では、最外側のパネル4にコアパッド1、2が配置されている。各々のコアパッドは、該コアパッドの上部周縁5、6の少なくとも一部に向かって、該各々のコアパッドの少なくとも一部をテーパー状化するように成形される。各々のカップの前記上部周縁は、ブラのよりネックライン周縁121および122により接近して配置される。前記上部周縁部分は、各々のコアパッドの上部に一致する。好ましくは、各々のコアパッドの上部周縁部全体に向かって、パッドはテーパー状である。最も好ましい形態において、各々のコアパッドの周縁全体に向かってパッドはテーパー状である。このようにテーパー状にすることにより、各々のコアパッドが厚みを減少する。この厚みの減少は、例えば図４に示すように、ブラの最外側と内側の層との間にパッドが備えられる場合、触っても分からないような目立たなくしたコアパッドのテーパー状の周縁部に因るものである。
【００９８】
最も好ましい形態において、バストカップの内側に配置される各々のコアパッドの少なくともその周縁は、テーパー状であるが、コアパッドのその他の周縁はテーパー状である必要はない。アンダーワイヤのようなその他の要素が配置されるブラの一部において、このようなテーパー状でない周縁領域部が配置されるのでテーパー状にする必要はない。
【００９９】
コアパッドの成形の際、フォーム素材から成る一定の厚みの板（sheet）は、テーパー状の周縁領域部（複数も含む）を画定するために適当な形状に薄くされて用いられる。
【０１００】
最も好ましくは、コアパッド1および2は、その側端と下部周縁が対応するバストカップ周縁領域部に隣接しているのに対し、コアパッドの上周縁部は各々のバストカップのネックライン周縁の内側に配置されるような大きさで構成される。
【０１０１】
本発明の一形態において、ブラは可撓性素材から成る最外側のパネル4および最内側のパネル7によって構成され、前記可撓性素材は各々のバストカップにおいてコアパッドを間に備えるファブリック素材のようなものである。図4に示すように、各々のコアパッドは、フォーム素材から成る単一層から構成され、最外側のパネル4および最内側のパネル7は、コアパッドの上部周縁6を越えて、ネックライン周縁121の端部まで延設されている。
【０１０２】
図4に示される実施例において、最外側のパネルおよび最内側のパネルの両者はネックライン周縁に連続している。好ましくは、最外側のパネル4および最内側のパネル7は、ブラのバストカップ部全体、およびチェストバンド部を過ぎって連続している。
【０１０３】
好ましくは、最外側のパネル4および最内側のパネル7およびコアパッドは積み重ねられ、接着剤の使用により互いに接着または接合されて平らな状態とし、その後、三次元形状にするためのモールド成形が行われる。前記成形ステップの前または後に、付加部材は、最内側および最外側のパネルおよびコアパッドに組み込まれる。付加部材としては、アンダーワイヤ、非伸縮性ファブリックブリッジパネルおよび／またはその他を含む。
【０１０４】
図5は、コアパッド１の変更形態として、アンダーワイヤアセンブリ9が二つのフォーム層10、11の中間に配置されたことを例示している。フォーム素材から成る外部層10および内部層11は接合され、かつ好ましくは互いに積層される。アンダーワイヤアセンブリ9は、ファブリック素材から成るソックス形状体内部にアンダーワイヤを配置し、外部層と内部層との中間に配置される。フォーム層10,11の中間の少なくとも一部に、好ましくは全体にアンダーワイヤアセンブリを備える。一形態において、コアパッド112を構成するためにフォーム素材から成る二以上の層は互いに積層され、該フォーム層が、好ましくは同一の周縁形状であり、かつ例えば、アンダーワイヤが前記二層の中間で積層されるところ以外の箇所で互いにしっかりと積層される。
【０１０５】
図5に関する実施例で例示するような好ましい形態に対する変更形態を図6に示す。図6において、外部層10は、当該層の周縁の少なくとも一領域においては、内部層11の周縁部の少なくとも一部を越えて先まで延設する大きさから成る。内部層11の周縁を越えた外部層10の周縁の延長部分は、好ましくはコアパッドの上部周縁6で生じる。テーパー状の上周縁を定めるために薄くされた、フォーム素材から成る最内側および最外側の層の両層は、コアパッド1の上部周縁6で画定される薄い周縁を構成する。図7は、コアパッド1を示す。内部層11の周縁12が外部層10の周縁6の内側に配置されていることが分かる。コアパッドのテーパー状の部分における層の周縁のずらした配置は、コアパネルの薄い周縁が画定される。好ましくは、テーパー状の部分は厚さが無くなるまでテーパー状化する。
【０１０６】
図8を参照すると、上記のようなずらした配置のパネルは、更に最内側のパネル７および最外側のパネル４にも用いることが可能である。例えば、最外側のパネル4がネックライン周縁121を画定するために拡張可能であるのに対し、最内側のパネル7は、少なくともネックライン周縁121において、内側に配置される。ブラのバストカップの厚みを緩やかなテーパー状に定める場合と同様に、ブラの構造もまた、ブラのネックライン周縁において、および/またはネックライン周縁に向かって広がる上部に向かってブラの厚みを減少させる。
【０１０７】
最も好ましい形態において、フォームコアパッドは、ブラのネックライン周縁または周縁領域部に配置されるように広がっていない。フォームコア周縁は、ネックライン周縁の手前で終端した構成にある。
【０１０８】
少なくともブラを着用したときの感触および/またはシルエットのために、ネックライン周縁とコアパッドを薄くする、または取り除くことによって、ブラの厚みは減少する。
【０１０９】
好ましくは、最外側と最内側のパネル4および7によって画定される二つのみの覆う層は、各々のバストカップのコアパッドとネックライン周縁との間に位置する部分である16において、着用者の皮膚の通気性を促進することも可能である。
【０１１０】
図9は、コアパネルがブリッジ部111を過ぎって連続している変更形態を示す。一つのフォームコアパッド19のみが、上述した別々のコアパッド1,2の代わりに備えられる。更に前記コアパッド19は、チェストバンド103/104のそれぞれ少なくとも一部に広がる。更にこの形態のコアパッド19は、ネックライン周縁121の少なくとも一部の内側にある上部周縁を有する。好ましくは、上部周縁6は、各々のバストカップのネックライン周縁121全体において手前で終端した構成にある。
【０１１１】
図10は、最外側のパネルが少なくとも二つの素材層によって構成される変更形態を示す。好ましくは、最外側のパネル4は、第一層21および第二層22から構成される。第一層21の素材は、色、質感、または厚み等に関し、第二層22の素材とは異なる特徴を有する。第一素材層21は、例えばレース素材であってもよく、少なくともチェストバンドの一部、および各々のバストカップの一部に広がっている。好ましくは、第一素材層21は、接合部23に沿って第二素材層22に接合される。前記接合部23は、図11aで示すように突合せ接合（butt join）であるか、または図13で示すように重ね合わせ接合（lap join）であってもよく、上記のような接合は、接着剤および／または超音波溶接によって行われる。ブラは、最外側にあるパネルの上記構造による外表面に生じる形態を有する。上記形態において、第一層21はレース素材であり、透明感を提供し、対照的な色の生地がレースの裏地に備えられる。実際には多数の対照的な素材が、レースの裏地に備えられる。
【０１１２】
最も好ましくは、接合部23は、コアパッド1の上部周縁6の少なくとも一部へ連続している。これとは別に、図11bを参照すると、接合部23は、コアパネル１の内方側に少なくとも一部を配置した形態である。例えば、層21はレース素材から成り、接合部23はコアパッド1の一部を過ぎって延設され、好ましくは、該コアパッド1はファブリック層26および27の少なくとも一つ、かつ好ましくは両方の層に積層されている。
【０１１３】
コアパネルがフォーム素材から成る単一層によって構成される変更形態において、コアパネル1は向かい合った層26および27の内側に配置される。好ましくは、フォームパネルが前記層26および27の間に配置される。前記層は、レース素材によって見えていたフォームパネル隠す。
【０１１４】
好ましくは、フォームパネル10および11の両側は、層26および／または27によって積層されているが、一形態においてはフォームパネルの内側は層26によって覆う必要はない。
【０１１５】
最内側のパネル7は、ファブリック素材または薄手の透き通ったファブリック素材29でもよく、更に、互いに接合された二以上の層から構成されてもよいが、好ましくは一つの層から構成され、最外側のパネルと同じ広がり度を有する。少なくともコアパッドが配置される部分以外の一部において、薄手の透き通った素材が、レース素材によってブラの外側から見ることができ、例えば、レース素材21によって当該薄手の透き通った素材29が見える。薄手の透き通った素材がフォームパネルの上に広がる部分において、レース素材によって、コアパネルのファブリック層27が見える。
【０１１６】
図14は、チェストバンドの特別な構造を有するブラ500の一部を示している。前記チェストバンド503の構造はバストカップ502を挟んでブラのもう一方チェストバンドと同一であり、最外側のファブリックパネル507と最内側のファブリックパネル504を有する。前記最外側のおよび最内側のファブリックパネル504、507の中間には、以下に記載するようなチェストバンドの弾性を備える構成要素に加えて更なるパネルがある。例えば、より内側のパネルは、最内側のファブリックパネルが積層したフォームパネルから成るアセンブリでもよい。同様に、より外側のパネルは、最外側のファブリックパネルが積層したフォームパネルから成るアセンブリでもよい。
【０１１７】
二つの弾性バンド560および561を備えることで、弾性をチェストバンド503に持たせることができる。最も好ましい形態において、弾性バンド560および561は、最内側のおよび最外側のファブリックパネル504,507に連続しているが、弾性バンド560および561の片面または両面に付加パネルを備えることも可能である。
【０１１８】
好ましくは、弾性バンド560はチェストバンド503の上部周縁573に沿って平行に延設する。好ましくは、弾性バンド560はバストカップ509により接近しているチェストバンド503一端から他端（図示省略）に向かって延設する。
【０１１９】
好ましくは、弾性バンド561は、チェストバンド503の下部周縁574に沿って平行に延設する。好ましくは、弾性バンド560はバストカップ509により接近しているチェストバンド503一端から他端（図示省略）に向かって延設する。
【０１２０】
ブラまたはブラを構成するための他の構成要素が備えられたチェストバンド503の組み立ての際に、粘着テープを使用し、好ましくはビーミス社の粘着テープとして公知である熱粘着両面テープを使用する。
【０１２１】
粘着テープの実施例として、細長い一片の粘着テープ531が弾性バンド560および最内側のパネル504の間に配置される。
【０１２２】
最も好ましい形態において、チェストバンドは、熱粘着両面テープで取り付けられる各々の弾性バンド560,561によって構成される。最内側のおよび最外側のパネル504,507、および弾性バンド560,561が熱および圧力の作用によって互いに積層される間に加熱される際、前記粘着剤は最も強固な粘着力を備える。室温では接着剤の粘着力は弱いが、積層する直前に最内側のおよび最外側のパネル504,507のうちの一つのパネル上の所定の位置に弾性バンド560,561を適度に固着するには十分である。最外側のファブリックパネル507の外表面が、積層する間に上方を向く場合は、弾性バンド560,561が最内側のパネル504の内表面に好ましくは配置される。
【０１２３】
これに対して、あまり好ましくないが、例えば粘着テープは最内側のファブリックパネル504上に弾性バンド560および561が配置されるべきところに接着される。同様に、最外側のファブリックパネル507に、弾性バンド560および561が配置されるべきところに、粘着テープが接着されてもよい。好ましくは、前記粘着テープは、最内側のおよび最外側のファブリックパネルの各々の周縁長手方向に隣接して備えられている。弾性バンド560および561は、最内側のファブリックパネル504上のテープ表面に貼り付けられ、その後、弾性バンド560および561の表面に最外側のファブリックパネル507に係合する粘着テープを貼ることによって、最外側のファブリックパネル507が接着される。これに対して、最初に弾性バンド560,561を最外側のファブリックパネル507上の粘着テープにそれぞれに貼り付け、その後、最内側のファブリックパネル504上の粘着テープの表面に前記弾性バンドを接着させることも可能である。
【０１２４】
更に他の方法として、最初に粘着テープを各々の弾性バンド560,561の両面に貼り付け、その後、最内側のおよび最外側のファブリックパネル504,507を該粘着テープ表面に貼り付ける。チェストバンド構造を組み立てる他の組み合わせにおいても利用できることは言うまでもない。
【０１２５】
一度積層されると、弾性バンド560および561は、最内側のファブリックパネルと最外側のファブリックがパネル504,507との間に備えられ、チェストバンドの積層は熱および圧力の作用によって行うことができる。
【０１２６】
二つの弾性バンド560,561は、ブラ500が着用されるとき、すなわち、チェストバンド503が、その長さに沿って伸ばされるとき、その長さに沿った概ね均等な分布の弾性を有する該チェストバンド503を備えるために強く固着される。弾性バンド560,561のうち一方のみが強く固着された場合、上記のような均等な分布の弾性は得られない。
【０１２７】
チェストバンド503の周縁に至るまで概ね同面積を有する単一の弾性バンドの場合もまた、均等な分布の弾性が得られる。上記の実施例を図15に示し、このような実施例において、前記単一弾性バンド590はチェストバンドとほぼ同一形状であり、上部の弾性バンド560と下部の弾性バンド561がチェストバンドの上部および下部周縁にそれぞれ配置されるのと同様に、チェストバンドの上部および下部周縁に前記単一弾性バンド590の上部および下部周縁が配置される。接着剤591および592は、前記単一弾性バンド590の両面に備えられる。
【０１２８】
しかしながら、経費節約のためには二つの弾性バンド560,561の適用が好ましい。
【０１２９】
本願明細書に記載されるような弾性バンドが備えられたチェストバンド構造は、本願明細書に記載されるようなバストカップ構造と組み合わせて利用でき、多くの点で従来技術よりも優れている。
【０１３０】
使用されるいくつかのファブリック生地は、フレンドリー・ファンデート社（Friendly Foundate Ltd.）の型番CMF-7440MUとして知られており、80％のタクテル（Tactel）（登録商標）および20％のライクラ（lycra）（登録商標）から構成される。ファブリック層9は約80％のタクテル（Tactel）（登録商標）40d/34f および20％のライクラ（lycra）（登録商標）40ｄから構成され、例えば単位面積あたり190gである。
【０１３１】
好ましくは、フォームはポリウレタンフォームであり、例えば線密度は30から40d（デニール）である。
【０１３２】
接着剤には、ウルトラ・エナジー・アドヒーシブ・トレーディング社（Ultra Energy Adhesive Trading Co., Ltd.）のRM-30のような接着剤が使用可能である。
【０１３３】
ブリッジの生地は、ゴールドスプリング社（Goldspring Co. Ltd.）の7118でもよく、好ましくは、ナイロン100%のガーゼである。
【０１３４】
一つまたは全ての成形工程は、好ましくは成形温度の上限および下限が180から200度で行われ、成形部品を保持する滞留時間は例えば、120秒である。
【図面の簡単な説明】
【０１３５】
本発明の好ましい実施形態は、添付の図面を参照して以下に記載する。
【図１】ブラの平面図である。
【図２ａ】本考案の他の変更形態を示す図であり、各々のバストカップは分離でき、本明細書中に記載された特徴を組み込むことが可能であり、各々の構成要素をブリッジ部で一緒に固定される。
【図２ｂ】バストカップ、またはバストカップ部および、ブラを形成するためにバストカップに接合、または固着されるその他の構成要素の組み合わせを示した図である。
【図３】ブラの正面図であり、各々のバストカップに備えられるコアパッドを示すために、部分的に透明にした状態における幾つかの要素を示す。
【図４】図３における断面AAによる断面図である。
【図５】図３における断面AAによるコアパッドの変更形態のみを示す断面図である。
【図６】図３における断面AAによるコアパッドの変更形態の一部のみを示す断面図である。
【図７】図６に一部示されたコアパッドの平面図である。
【図８】コアパッドおよび内部層および外部層を示す図３の変更形態であり、断面AAによる一部断面図である。
【図９】透明にした状態における幾つかの構成要素を示すブラの一部正面図である。
【図１０】本考案における変更形態を示すブラの一部正面図である。
【図１１ａ】図１０における断面BBによる断面図である。
【図１１ｂ】最外側のパネルの変更形態を示す図11aの分解図である。
【図１２】図11aの変更形態を示す分解図である
【図１３】二つの部分から成る最外側のパネル構造を示す断面図である。
【図１４】ブラのチェストバンド部における弾性バンドの接合を示す一部斜視図である。
【図１５】ブラのチェストバンド部における弾性バンドの接合を示す一部斜視図である。
【符号の説明】
【０１３６】
１、２、１１２  コアパッド（コアパネルの場合もあり）
４  最外側のパネル
・  コアパッドの上部周縁
７  最内側のパネル
９  アンダーワイヤアセンブリ
１０  外部層（フォームパネル）
１１  内部層（フォームパネル）
１２  周縁領域部
１６  コアパッドとネックライン周縁の間の部分
１９  フォームコアパッド
２１  第一層
２２  第二層
２３  接合部
２６、２７  ファブリック層
２９  薄手の透き通った素材
１００、５００  ブラジャー（ブラ）
１０２、５０２  バストカップ部 
１０３、１０４  チェストバンド    
１０５、１０６  肩ストラップ
１０７、１０８  留め具（ホック）
１０９、１１０  バストカップ
１１１  ブリッジ部  
１２１、１２２  ネックライン周縁
５０３  チェストバンド
５０４  最内側のファブリックパネル
５０７  最外側のファブリックパネル
５０９  バストカップ
５３１  粘着テープ
５６０、５６１  弾性バンド
５７３  上部周縁
５７４  下部周縁
５９０  単一弾性バンド
５９１、５９２  接着剤
【図１】
0003135406.tif 000003
【図２ａ】
0003135406.tif 000004
【図２ｂ】
0003135406.tif 000005
【図３】
0003135406.tif 000006
【図４】
0003135406.tif 000007
【図５】
0003135406.tif 000008
【図６】
0003135406.tif 000009
【図７】
0003135406.tif 000010
【図８】
0003135406.tif 000011
【図９】
0003135406.tif 000012
【図１０】
0003135406.tif 000013
【図１１ａ】
0003135406.tif 000014
【図１１ｂ】
0003135406.tif 000015
【図１２】
0003135406.tif 000016
【図１３】
0003135406.tif 000017
【図１４】
0003135406.tif 000018
【図１５】
0003135406.tif 000019